(57)【要約】  本発明は、ファブリ・ペロー・レーザ・ダイオード（ＦＰ−ＬＤ）の相互注入を用いる広帯域光源（ＢＬＳ）の注入による波長固定式ＦＰ−ＬＤの光変調方法および光変調システムに関する。より詳細には、本発明は、波長分割多重受動光ネットワーク（ＷＤＭ−ＰＯＮ）に基づく光ネットワークで経済的な光源として使用され得る波長固定式ＦＰ−ＬＤを実装する新規の変調技術に関する。本発明によれば、２つのＦＰ−ＬＤ間での相互注入によって構築されるＢＬＳ、および光伝送に使用される光ファイバ、ＢＬＳの複数の発振モードからの光をｎ個からなるグループにフィルタする第１ＡＷＧ、第１ＡＷＧを介して分割された波長の固定された光を出力するｎ個のＦＰ−ＬＤ、第１ＡＷＧからの出力が伝送される先である加入者の送信端に設けられる符号器、第１ＡＷＧを介して入力される光を出力するサーキュレータ、第１ＡＷＧからのＷＤＭ信号をｎ個からなるグループに逆多重化する第２ＡＷＧ、並びに第２ＡＷＧからの出力が送信される先である受信端に設けられる復号器を含む光変調システムが提案される。従って、本発明は、低コストのＢＬＳの注入による波長固定式ＦＰ−ＬＤを実装することにより、ＷＤＭ−ＰＯＮ加入者用により経済的な光源を提供することを可能にする。
2008520124.tif 000002
【特許請求の範囲】
【請求項１】
低周波数領域に１／ｆ雑音を有する光源を使用する光通信システムにおける光変調方法であって、送信側で、光を、前記１／ｆ雑音が存在する領域に信号スペクトルをもたない変調方式に変調するステップと、受信側で、伝送信号に影響を与えることなく前記１／ｆ雑音を取り除き、その結果、前記光通信システムの性能を改善するステップとを含む光変調方法。
【請求項２】
前記低周波数領域に１／ｆ雑音を有する前記光源が、外部から注入を受けるＢＬＳによる波長固定式ＦＰ−ＬＤである請求項１に記載の光変調方法。
【請求項３】
前記波長固定式ＦＰ−ＬＤが反射防止コーティングを施されている請求項２に記載の光変調方法。
【請求項４】
前記外部から注入を受けるＢＬＳが、ＦＰ−ＬＤの相互注入を用いるＢＬＳである請求項２に記載の光変調方法。
【請求項５】
前記外部から注入を受けるＢＬＳが、ＬＥＤ、増幅自然放出光発生ダイオード、スーパー・ルミネッセント・ダイオードからなるグループから選択された１つである請求項２に記載の光変調方法。
【請求項６】
前記ＦＰ−ＬＤの相互注入を用いるＢＬＳが、それぞれに反射防止コーティングを施されたＦＰ−ＬＤを用いる請求項４に記載の光変調方法。
【請求項７】
前記ＦＰ−ＬＤの相互注入を用いるＢＬＳが、利得帯域の広い広帯域ＦＰ−ＬＤを用いることによって帯域幅を向上させる請求項４に記載の光変調方法。
【請求項８】
前記光変調方法が、送信側で信号を変調する際、バイポーラ方式、ＲＺ（ＲＺ−ＡＭＩ）、マンチェスタ、差分マンチェスタ、Ｂ８ＺＳ、ＨＤＢ３、擬似三進数など低周波数領域に電気成分をもたない変調方式を利用する請求項４に記載の光変調方法。
【請求項９】
前記光変調方法が、受信側で、帯域通過フィルタ（ＢＰＦ）を使用して、伝送信号に影響を与えることなく前記１／ｆ雑音を取り除く請求項１または４に記載の光変調方法。
【請求項１０】
２つのＦＰ−ＬＤ間での相互注入により構築されるＢＬＳおよび光伝送に使用される光ファイバと、
前記ＢＬＳの複数の発振モードからの光をｎ個からなるグループにフィルタする第１ＡＷＧと、
前記第１ＡＷＧを介して波長の固定された光を出力するｎ個のＦＰ−ＬＤと、
Ｆ−Ｐ  ＬＤを含む加入者の送信端に設けられた符号器と、
前記第１ＡＷＧと光ファイバを介して入力される光を出力するサーキュレータと、
前記第１ＡＷＧからのＷＤＭ信号をｎ個からなるグループに逆多重化する第２ＡＷＧと、
前記第２ＡＷＧからの出力を受信する受信器（ＲＸ）を含む受信端に設けられた復号器とを含む光ネットワーク。
【請求項１１】
前記光ネットワークが、十分な伝送パワーが供給されるように、前記ＢＬＳと前記サーキュレータとの間に接続されたＥＤＦＡをさらに含む請求項１０に記載の光ネットワーク。
【請求項１２】
前記光ネットワークが、前記ＢＬＳの偏光を波長の固定された光を出力するＦＰ−ＬＤの偏光に合わせるために、前記ＢＬＳと前記サーキュレータとの間に接続された偏光制御器（ＰＣ）をさらに含む請求項１０に記載の光ネットワーク。
【請求項１３】
前記ｎ個のＦＰ−ＬＤが、それぞれ反射防止コーティングを施されている請求項１０に記載の光ネットワーク。
【請求項１４】
ｎ個のＦＰ−ＬＤの温度がヒータとＴＥＣによって制御される請求項１０に記載の光ネットワーク。
【請求項１５】
前記ｎ個のＦＰ−ＬＤが、変調されて、外部から注入を受ける前記ＢＬＳによる波長固定式ＦＰ−ＬＤ特性をもつ請求項１０に記載の光ネットワーク。
【請求項１６】
前記送信端の前記符号器と前記受信端の前記復号器が、バイポーラ方式、ＲＺ（ＲＺ−ＡＭＩ）、マンチェスタ、差分マンチェスタ、Ｂ８ＺＳ、ＨＤＢ３、擬似三進数など低周波数領域に電気成分をもたない変調方式を利用する請求項１０に記載の光ネットワーク。
【請求項１７】
前記光ネットワークが、前記第２ＡＷＧからの出力を受信する受信器（ＲＸ）を含む前記受信端で低周波数成分を遮断する帯域通過フィルタ（ＢＰＦ）をさらに含む請求項１０に記載の光ネットワーク。
【請求項１８】
前記光ネットワークが、双方向通信用光伝送装置として使用される請求項１０に記載の光ネットワーク。
【請求項１９】
前記ＢＬＳの異なる波長帯域をもつ光が、それぞれセンター局と加入者端に注入される請求項１０に記載の光ネットワーク。
【請求項２０】
前記第１ＡＷＧを介して波長の固定された光を出力する前記ｎ個のＦＰ−ＬＤのそれぞれと前記送信端を含む符号器、および帯域通過フィルタ（ＢＰＦ）と前記受信端を含む復号器が、１つのユニットに組み合わされた請求項１０に記載の光ネットワーク。
【請求項２１】
帯域通過フィルタ（ＢＰＦ）、前記受信端を含む、前記第２ＡＷＧからの出力を受信する受信器（ＲＸ）を含む受信端に設けられた復号器、および波長の固定された光を出力する前記ｎ個のＦＰ−ＬＤのそれぞれと前記送信端を含む符号器が、１つのユニットに組み合わされた請求項１０に記載の光ネットワーク。
【請求項２２】
前記受信端への入力と前記送信端からの出力が、ＷＤＭフィルタを介して分割された後、伝送される請求項２０または２１に記載の光ネットワーク。
【発明の詳細な説明】
【技術分野】
【０００１】
本発明は、ファブリ・ペロー・レーザ・ダイオード（ＦＰ−ＬＤ）の相互注入を用いる広帯域光源（ＢＬＳ）の注入による波長固定式ＦＰ−ＬＤ(wavelength locked Fabry Perot-Laser Diode)の光変調方法および光伝送システムに関する。より詳細には、本発明は、波長分割多重受動光ネットワーク(wavelength-division multiplexing passive optical network：ＷＤＭ−ＰＯＮ）に基づく光ネットワークで経済的な光源として使用される波長固定式ＦＰ−ＬＤを実装する新規の変調技術に関する。
【背景技術】
【０００２】
徐々に容量を増すデータ・トラフィック、高精細度テレビ（ＨＤＴＶ）、電子商取引、ビデオ・オン・デマンド（ＶＯＤ）など様々なマルチメディア・サービスを提供するために、既存の光ネットワークで容量の拡張が求められている。このために、光ファイバに基づくＰＯＮ技術の研究が多大な注目を集めている。現在のＰＯＮ技術の中でも、波長分割多重(wavelength-division multiplexing：ＷＤＭ)技術は究極の選択肢であると認知されている。ＷＤＭ技術では、仮想終端間接続を実現するのに加入者１人につき１つの波長が割り当てられなければならない。従って、ＷＤＭ−ＰＯＮ技術では、低コストの加入者用光源を実装することが不可欠である。
【０００３】
波長固定式ＦＰ−ＬＤは近年、ＷＤＭ−ＰＯＮの経済的な光源として提案かつ認識されている（発明者Ｃｈａｎｇ−Ｈｅｅ，ＬｅｅおよびＨｙｕｎ−Ｄｅｏｋ，Ｋｉｍによる「Ａ  ｌｏｗ−ｃｏｓｔ  ＷＤＭ  ｓｏｕｒｃｅ  ｗｉｔｈ  ａｎ  ｉｎｃｏｈｅｒｅｎｔ  ｌｉｇｈｔ  ｉｎｊｅｃｔｅｄ  Ｆａｂｒｙ−Ｐｅｒｏｔ  ｓｅｍｉｃｏｎｄｕｃｔｏｒ  ｌａｓｅｒ  ｄｉｏｄｅ」という名称の２００２年２月２８日に登録された韓国特許第３２５６８７号を参照）。本明細書において、波長固定式ＦＰ−ＬＤとは、フィルタされたインコヒーレント光源あるいはＢＬＳを多モードで発振するＦＰ−ＬＤに注入し、ＦＰ−ＬＤが単一モードで発振するように、注入ＢＬＳの波長にＦＰ−ＬＤの発振波長を固定することによって得られる光源である。
【０００４】
本明細書では、波長を固定するために注入されるべきＢＬＳは、発光ダイオード（ＬＥＤ）、増幅自然放出光(amplified spontaneous emission：ＡＳＥ）を放出するエルビウムドープ・ファイバ増幅器(erbium-doped fiber amplifiers：ＥＤＦＡ）、スーパー・ルミネッセント・ダイオード（ＳＬＤ）などである（Ｔ．Ｗ．Ｏｈ他「Ｂｒｏａｄｂａｎｄ  Ｌｉｇｈｔ  Ｓｏｕｒｃｅ  ｆｏｒ  Ｗａｖｅｌｅｎｇｔｈ−Ｄｉｖｉｓｉｏｎ  Ｍｕｌｔｉｐｌｅ  Ａｃｃｅｓｓ  Ｐａｓｓｉｖｅ  Ｏｐｔｉｃａｌ」（ＯＥＣＣ、２００３）を参照）。しかし、ＬＥＤやＥＤＦＡ、ＳＬＤなどの主な不利点は、大型であることまたはコストが高いことである。これらと違って、ＦＰ−ＬＤの相互注入を用いるＢＬＳは、小型であって、かつ低コストでの実装が可能であり、従って経済的なＷＤＭ−ＰＯＮを実装する上でより有利である（Ｋ．Ｍ．Ｃｈｏｉ他「Ｂｒｏａｄｂａｎｄ  Ｌｉｇｈｔ  Ｓｏｕｒｃｅ  ｂｙ  Ｍｕｔｕａｌｌｙ  Ｉｎｊｅｃｔｅｄ  ＦＰ−ＬＤｓ」（ＯＥＣＣ、２００４）を参照）。
【発明の開示】
【発明が解決しようとする課題】
【０００５】
本発明の一目的は、ＦＰ−ＬＤの相互注入を用いるＢＬＳの注入による波長固定式ＦＰ−ＬＤの伝送品質を向上させることのできる新規のＦＰ−ＬＤ変調方法および光伝送システムを提案することにより従来技術の諸問題を解決することである。
【課題を解決するための手段】
【０００６】
上記の目的を達成するために、本発明は、２つのＦＰ−ＬＤ間での相互注入によって構築されるＢＬＳと光伝送に使用される光ファイバと、ＢＬＳの複数の発振モードからの光をｎ個からなるグループにフィルタする第１ＡＷＧと、第１ＡＷＧを介して波長の固定された光を出力するｎ個のＦＰ−ＬＤ、Ｆ−Ｐ  ＬＤを含む加入者の送信端に設けられた符号器と、第１ＡＷＧと光ファイバを介して入力される光を出力するサーキュレータと、第１ＡＷＧからのＷＤＭ信号をｎ個からなるグループに逆多重化する第２ＡＷＧと、第２ＡＷＧからの出力を受信する受信器（ＲＸ）を含む受信端に設けられた復号器とを含む光ネットワークを提供する。
【０００７】
本発明によれば、特定の波長に基づいてフィルタされるＢＬＳが加入者用レーザである図１のＦＰ−ＬＤ３に注入される場合、波長固定式ＦＰ−ＬＤの特性はＦＰ−ＬＤ３の温度変化に応じて様々であってよい。
【０００８】
ＢＥＲを測定して、図６の実験的構造図から得られる波長固定式ＦＰ−ＬＤ３の性能における最善の場合と最悪の場合の伝送信号を解析すると、約２．５ｄＢのパワー・ペナルティ(power penalty)が発生はするものの、図１０に示されるように、無誤差伝送(error-free transmission)が可能である。
【０００９】
即ち、ＦＰ−ＬＤの相互注入を用いる注入ＢＬＳの雑音を回避することのできる領域に電気スペクトルを有する変調方式で信号を変調することによって実装される如何なる波長固定式ＦＰ−ＬＤも、周囲温度の変化に関係なく、加入者用光源として使用されるように適合される。
【発明を実施するための最良の形態】
【００１０】
以下では、本発明による好ましい実施形態の構造と機能が、添付の図面を参照しながらより詳細に説明される。
【００１１】
本発明では、図１に破線で示されている構造を有するＢＬＳが、波長固定式ＦＰ−ＬＤを実装するために注入される。注入ＢＬＳは、前端面に反射防止（ＡＲ）コーティングを施した２つのＦＰ−ＬＤ（ＦＰ−ＬＤ１、ＦＰ−ＬＤ２）間での相互注入方式を用いて実装される光源である。相互注入以前の単一のＦＰ−ＬＤの前端面の線幅が、相互注入後には約０．２ｎｍに拡張される。さらに、図１のＢＬＳは、ＦＰ−ＬＤの１つのモードにおけるモード分配雑音(mode partition noise)が低減される特性をもつ。ＦＰ−ＬＤの相互注入を用いるＢＬＳの光スペクトルが図２に示され、雑音特性が図３に示されている。図２および図３から、線幅が拡張され、雑音が低減されるのが確認される。
【００１２】
図１に示されている構造は、ＦＰ−ＬＤ１、２の相互注入により実装されるＢＬＳの注入による波長固定式ＦＰ−ＬＤを実装するために使用される。ＢＬＳの出力パワーは所望の波長にフィルタされ、フィルタされた出力パワーが多モードで発振する加入者側のＦＰ−ＬＤ３に注入される。より多くの加入者に対応するために、Ｆ−Ｐ  ＬＤがＡＷＧ１の出力ポートに接続されてよい。本明細書では、ＢＬＳのパワーを補完するために１つの光ファイバ増幅器(optical fiber amplifier：ＥＤＦＡ）が使用され、ＢＬＳの偏光を加入者側のＦＰ−ＬＤ３の偏光に合わせるのに偏光制御器(polarization controller：ＰＣ）が使用される。この点で、周囲温度が変化すると、ＦＰ−ＬＤ３のレーザ波長が変化し、波長固定式ＦＰ−ＬＤの性能は温度に依存することになる。従って、本発明の一目標は、温度変化に依存しない加入者用光源を実現することであり、温度変化に依存しないことは波長分割多重（ＷＤＭ）光源として使用されるための重要な要素の１つである。
【００１３】
図４は、ＦＰ−ＬＤ１、２の相互注入によるＢＬＳの１つのモードの注入による波長固定式ＦＰ−ＬＤ３が、１００ＭｂｓのＮＲＺデータを使用して変調される場合での、温度に依存する最善の場合と最悪の場合の測定ビット誤り率（ＢＥＲ）特性を示す。図４は、実装された光源の伝送特性が最悪の場合になると、最善の場合と違って、無誤差伝送が実現できないことを示している。この結果は、図３に示される、ＦＰ−ＬＤ１、２の相互注入によるＢＬＳの１つのモードの相対強度雑音(relative intensity noise：ＲＩＮ)スペクトルの低周波数領域に存在する雑音成分に起因する。従って、本発明は、ＦＰ−ＬＤ１、２の相互注入によるＢＬＳを使用する波長固定式ＦＰ−ＬＤを、加入者側で温度変化に依存しない光源として使用する方法を提案するよう意図されている。このために、伝送光の性能が、フィルタされ注入されるＢＬＳの１つのモードの低周波数領域に存在する雑音の影響を最小限にする方法によって改善される。
【００１４】
ＦＰ−ＬＤ１、２の相互注入を用いて実現される、ＢＬＳでフィルタされた１つのモードは、図３に示されるように、低周波数領域に高次の雑音成分をもつ。従って、上記に記載の雑音特性をもつＢＬＳの注入による波長固定式光源もまた、図３に示されるのと同様の雑音成分をもつ。波長固定式光源の性能が最善である場合、雑音特性は注入ＢＬＳの雑音特性と同じパターン示し、注入ＢＬＳの雑音は低減される。一方、波長固定式光源の性能が最悪である場合、雑音抑制効果は現れず、むしろ雑音が増大することを図３は示している。ＦＰ−ＬＤ１、２の相互注入により実装されるＢＬＳの注入による波長固定式ＦＰ−ＬＤの伝送性能を向上させる信号変調を実施する際、低周波数領域に雑音成分を含まなくても、雑音特性が改善される原理が本発明に適用される。
【００１５】
伝送信号が、図５に示される変調方法の中でも、低周波数領域に電気スペクトル成分をもたない方法で変調される場合、その伝送信号は、ＢＬＳの低周波数雑音成分と変調信号スペクトルの両方をもつことができる。受信側は、ＢＬＳの低周波数雑音成分と変調信号スペクトルの両方をもつ伝送信号を受信し、変調信号スペクトル成分だけを渡し、その結果ＢＬＳの低周波数雑音成分を取り除く。この場合、変調信号スペクトル成分の大部分が渡され、その歪を全くもたない伝送信号を受信することが可能となる。上記に記載の方法を用いて低周波数成分の雑音を取り除くことによって、低周波数雑音成分に起因する伝送品質の劣化が改善される。
【００１６】
本発明は、図５に提案されている様々な変調方式の中でも、マンチェスタ方式での５０Ｍｂｓの変調の結果に基づいて、構造とその動作方式を説明する。本発明の構造は、波長固定式ＦＰ−ＬＤ光源の実験的構造図を示す図６に示されている。
【００１７】
図６では、本発明で使用されるＢＬＳは、ＦＰ−ＬＤ１、２間での相互注入方式を利用するＢＬＳであり、この場合、ＦＰ−ＬＤ１、２のそれぞれが前端面にＡＲコーティングを施されている。ＢＬＳの光パワーは、ＰＣ（偏光制御器）を通過した後、ＥＤＦＡを介して増幅され、次いで伝送用光ファイバ（２０Ｋｍ）を通過し、伝送光にフィルタをかけてｎ個からなるグループに分割する第１ＡＷＧに入り、この場合、ｎは第１ＡＷＧの出力ポート数あるいはＷＤＭ信号のチャネル数である。１つの分割ＢＬＳ出力が、波長固定式光源を出力するＦＰ−ＬＤ３に注入される。
【００１８】
本発明では、ｎ個のＦＰ−ＬＤの温度が、ヒータとＴＥＣによって制御され、加入者側のＦＰ−ＬＤ３が、マンチェスタ符号を用いてデータを変調した後、データを送信する。この実験で用いられる変調方式は、ＮＲＺ信号から符号化されるマンチェスタ方式であり、それぞれの測定電気スペクトルが図８に示されている。
【００１９】
好ましくは、本発明に適用される変調方式は、バイポーラ方式、ＲＺ（ＲＺ−ＡＭＩ）、差分マンチェスタ、Ｂ８ＺＳ、ＨＤＢ３、擬似三進数(pseudoternary)などである。データが、図８に示されるように、低周波数領域に電気成分をもたないマンチェスタ符号などの方式で変調される場合、注入ＢＬＳの低周波数雑音成分は伝送データに影響しない。
【００２０】
上記に記載の変調データが、第１ＡＷＧおよび（光ファイバとＥＤＦＡとの間に置かれる）サーキュレータを通過し、センター局(central office)に在る第２ＡＷＧを通過した後、受信端へ伝送される。伝送データは、フォトダイオー（Ｒｘ１）で光電変換され、データの低周波数領域に存在する雑音が帯域通過フィルタ（ＢＰＦ）を介してフィルタされる。フィルタされたデータは、復号器によってマンチェスタ方式からそのデータの元のＮＲＺデータに復号される。
【００２１】
本発明では、受信信号の性能はＢＰＦにおける低周波数遮断に従って影響を受け、図９は１０-9ＢＥＲを得るための感度を示す。図９から、最適な低周波数遮断が決定され、決定された最適な低周波数遮断がセンター局の受信端のＢＰＦに適用される場合に得られるＢＥＲ特性は、図１０に示されるように改善される。即ち、波長固定式ＦＰ−ＬＤの５０ＭｂｓのマンチェスタのＢＥＲ特性が最悪である場合でも、無誤差伝送が可能であることが理解されよう。さらに、最善の場合で無誤差伝送を得るには、−２１ｄＢｍあるいはそれ以上のＢＬＳパワーが注入される必要がある。図１１によれば、これは、図７に示される受信器の帯域幅と同じ帯域幅をもつ受信器をＢＰＦなしに使用して１００ＭｂｓのＮＲＺデータを伝送する際に必要とされる注入パワーと比較すると、求められる注入パワーが３ｄＢ少ないということである。
【００２２】
上記の方式を加入者側に在る複数のＦＰ−ＬＤに適用する場合でも、ＷＤＭ−ＰＯＮシステムを実装することが可能である。この場合、ＢＬＳは、２つのＰＣと１つの偏光ビーム・スプリッタ（ＰＢＳ）の使用による非偏光出力をもたなければならない。図７の構造図を参照すると、伝送用光ファイバ（２０Ｋｍ）を通過する偏光多重化されたＢＬＳが、ＢＬＳの様々な発振モードをｎ個からなるグループにフィルタする第１ＡＷＧを介して分割され、この場合、ｎは第１ＡＷＧの出力ポート数あるいはＷＤＭ信号用のチャネル数であり、次いで、それぞれが波長の固定された光を出力するｎ個のＦＰ−ＬＤにＢＬＳが注入される。
【００２３】
加入者側に存在するｎ個のＦＰ−ＬＤが、データをマンチェスタ符号方式に変調する。上記に記載の変調データは、第１ＡＷＧ、伝送ファイバ、（第１ＡＷＧと光ファイバを介して入力される光を出力する）サーキュレータを通過し、ＷＤＭ信号をセンター局で、ｎ個からなるグループに逆多重化する第２ＡＷＧを通過した後、受信端に伝送される。この方法によって、周囲温度の変化による実質的な影響を受けることなく、信号の無誤差伝送が獲得される。本明細書では、各加入者用レーザは単なるＦＰ−ＬＤに過ぎず、従って加入者すべてが、注入波長に関係なく同タイプのレーザを使用することができる。即ち、波長に依存しない加入者用装置を実装することが可能である。
【００２４】
上記に記載したように、本発明は、加入者がセンター局へデータを伝送するアップストリームの場合を説明している。しかし、本発明で提案される方法は、センター局が加入者にデータを伝送するダウンストリームにも適用することが可能である。この場合、ＢＬＳとＦＰ−ＬＤの両方がセンター局に置かれる。センター局と加入者との間の双方向通信に適用するための実験的構造図が図１２に示されている。図１２では、ＢＬＳがセンター局側に存在し、入力信号と出力信号がＷＤＭフィルタにより分割されて伝送される１つの組み合わされたユニットとして送信器と受信器が構築されている。
【００２５】
本発明の好ましい実施形態によるＦＰ−ＬＤの相互注入を用いるＢＬＳの注入による波長固定式ＦＰ−ＬＤなどの光源は、１／ｆ雑音が低周波数領域に存在する光通信用の汎用光源に適用される。即ち、発光ダイオード、増幅自然放出光（ＡＳＥ）ダイオード、スーパー・ルミネッセント・ダイオードの注入による波長固定式ＦＰ−ＬＤの低周波数領域にも１／ｆ雑音は存在し、従って、本発明で提案される変調方法を適用して１／ｆ雑音による影響を低減することによって変調信号の性能を向上させることが可能である。
【００２６】
本発明によれば、特定の波長に基づいてフィルタされるＢＬＳが加入者用レーザに注入される場合、波長固定式レーザの特性はレーザの温度変化に応じて様々であってよい。
【００２７】
本発明によれば、波長固定式ＦＰ−ＬＤ３の性能における最善の場合と最悪の場合の伝送信号を解析すると、約２．５ｄＢのパワー・ペナルティが発生はするものの、無誤差伝送が可能である。即ち、ＦＰ−ＬＤの相互注入を用いる注入ＢＬＳの雑音を回避することのできる領域に電気スペクトルを有する変調方式で信号を変調することによって実装される如何なる波長固定式ＦＰ−ＬＤも、周囲温度の変化に関係なく、加入者用光源として使用されるように適合される。
【図面の簡単な説明】
【００２８】
【図１】本発明の一実施形態によるＦＰ−ＬＤの相互注入を用いるＢＬＳの注入による波長固定式ＦＰ−ＬＤの構造図を示す図である。
【図２】ＦＰ−ＬＤの相互注入を用いるＢＬＳの光スペクトルを示す図である。
【図３】ＦＰ−ＬＤの相互注入を用いるＢＬＳおよび波長固定式ＦＰ−ＬＤの雑音特性を示す図である。
【図４】図１に示される構造により実施される波長固定式ＦＰ−ＬＤのビット誤り率（ＢＥＲ）特性を示す図である。
【図５】変調方式の電気スペクトルを示す図である。
【図６】本発明の一実施形態によるＦＰ−ＬＤの相互注入を用いるＢＬＳの注入による波長固定式ＦＰ−ＬＤの変調方法の構造図を示す図である。
【図７】図６に基づくＷＤＭ−ＰＯＮの構造図を示す図である。
【図８】フィルタされたＢＬＳのスペクトル、および変調方式として実験で使用されたマンチェスタ・データおよびＮＲＺを示す図である。
【図９】ＢＰＦにおける低周波数遮断の変化に応じた波長固定式ＦＰ−ＬＤの受信感度を示す図である。
【図１０】ＮＲＺおよびマンチェスタ・データが送信される際の、最善と最悪のＢＥＲを示す図である。
【図１１】ＮＲＺおよびマンチェスタ・データを送信する際の、注入ＢＬＳのパワーに応じた最善のＢＥＲを示す図である。
【図１２】図６に基づく双方向ＷＤＭ−ＰＯＮの構造図を示す図である。
【図１】
2008520124.tif 000003
【図２】
2008520124.tif 000004
【図３】
2008520124.tif 000005
【図４】
2008520124.tif 000006
【図５】
2008520124.tif 000007
【図６】
2008520124.tif 000008
【図７】
2008520124.tif 000009
【図８】
2008520124.tif 000010
【図９】
2008520124.tif 000011
【図１０】
2008520124.tif 000012
【図１１】
2008520124.tif 000013
【図１２】
2008520124.tif 000014
【国際調査報告】
2008520124.tif 000015
2008520124.tif 000016